(57)【特許請求の範囲】
【請求項１】
有価媒体の処理を行う処理部と、
前記処理部による有価媒体の処理に関する情報を入力するための操作部と、
前記操作部により入力された情報および／または前記処理部により有価媒体の処理が行われる際に取得される情報を記憶する記憶部と、
前記記憶部に記憶されている情報が修正されたときに修正前の情報および修正後の情報を出力する制御部と、
を備え、
前記記憶部に記憶されている情報のうち有価媒体の計数結果に係る情報が修正される際に、複数の取引の有価媒体の計数結果が結合される、有価媒体処理装置。
【請求項２】
前記制御部により出力された情報を印字する印字部を更に備えた、請求項１記載の有価媒体処理装置。
【請求項３】
前記印字部は、１つの媒体に修正前の情報および修正後の情報をそれぞれ印字する、請求項２記載の有価媒体処理装置。
【請求項４】
前記制御部により出力された情報を表示する表示部を更に備えた、請求項１乃至３のいずれか一項に記載の有価媒体処理装置。
【請求項５】
前記制御部は、修正を行った操作者に係る情報と、修正履歴とを紐付けて前記記憶部に記憶させる、請求項１乃至４のいずれか一項に記載の有価媒体処理装置。
【請求項６】
前記制御部は、前記操作部により有価媒体の処理に関する情報を入力した操作者に係る情報と、前記修正履歴とを紐付けて前記記憶部に記憶させる、請求項５記載の有価媒体処理装置。
【請求項７】
有価媒体の処理を行う処理部を有する有価媒体処理装置と、
前記有価媒体処理装置とは別に設けられ、当該有価媒体処理装置の管理を行う管理装置と、
を備えた有価媒体処理システムであって、
前記有価媒体処理装置の前記処理部による有価媒体の処理に関する情報を入力するための操作部と、
前記操作部により入力された情報および／または前記有価媒体処理装置の前記処理部により有価媒体の処理が行われる際に取得される情報を記憶する記憶部と、
前記記憶部に記憶されている情報が修正されたときに修正前の情報および修正後の情報を出力する制御部と、
を備え、
前記記憶部に記憶されている情報のうち有価媒体の計数結果に係る情報が修正される際に、複数の取引の有価媒体の計数結果が結合される、有価媒体処理システム。
【請求項８】
前記操作部、前記記憶部および前記制御部のうち少なくとも１つは前記管理装置に設けられている、請求項７記載の有価媒体処理システム。
【請求項９】
入力された有価媒体の処理に関する情報を受け付ける工程と、
受け付けた情報および／または有価媒体の処理が行われる際に取得された情報を記憶部に記憶させる工程と、
前記記憶部に記憶されている情報が修正されたときに修正前の情報および修正後の情報を出力する工程と、
を備え、
前記記憶部に記憶されている情報のうち有価媒体の計数結果に係る情報が修正される際に、複数の取引の有価媒体の計数結果が結合される、有価媒体処理方法。
【発明の詳細な説明】
【技術分野】
【０００１】
本発明は、店舗等における売上金としての貨幣や商品券等の有価媒体の処理を行う有価媒体処理装置、このような有価媒体処理装置を備えた有価媒体処理システムおよびこのような有価媒体処理装置による有価媒体処理方法に関する。
【背景技術】
【０００２】
従来から、店舗等における売上金としての貨幣や商品券等の有価媒体の処理を行う有価媒体処理装置として、例えば特許文献１に開示されるものが知られている。このような有価媒体処理装置では、貨幣や商品券等の有価媒体の入金処理を行う際に、どの店舗やレジから回収してきた有価媒体を処理するのかを特定するために、操作者は店番号やレジ番号等を入力した後に、有価媒体の入金処理を行っていた。
【０００３】
また、特許文献１等に開示されるような従来の有価媒体処理装置では、操作ミスにより店番号やレジ番号を誤って入力した後に有価媒体の入金処理が行われた場合には、操作者は有価媒体の処理に関する情報（具体的には、計数データ）を修正することができるようになっている。また、有価媒体の処理に関する情報が修正されたときに、修正後の情報が出力されてプリンタ等によりレシートに印字されるようになっている。
【先行技術文献】
【特許文献】
【０００４】
【特許文献１】特開２０１５−４１１７２号公報
【発明の概要】
【発明が解決しようとする課題】
【０００５】
しかしながら、特許文献１等に開示されるような従来の有価媒体処理装置では、有価媒体の処理に関する情報が修正されたときに、修正後の情報しか出力されないため、修正を行った後に操作ミスが生じた場合には修正前の情報が分からなくなってしまうという問題があった。修正前の情報が分からなくなってしまうと、操作ミスに対する復旧作業を行う際に有価媒体の処理に関する情報の過去のログを調べなければならず、このような作業は非常に手間がかかり時間がかかってしまう。
【０００６】
本発明は、このような点を考慮してなされたものであり、記憶部に記憶されている、有価媒体の処理に関する情報を修正した後に操作ミスが生じた場合でも、操作者は修正後の情報に加えて修正前の情報を容易に取得することができ、よって操作ミスに対する復旧作業を容易かつ短時間で行うことができる有価媒体処理装置、有価媒体処理システムおよび有価媒体処理方法を提供する有価媒体処理装置、有価媒体処理システムおよび有価媒体処理方法を提供することを目的とする。
【課題を解決するための手段】
【０００７】
本発明の有価媒体処理装置は、有価媒体の処理を行う処理部と、前記処理部による有価媒体の処理に関する情報を入力するための操作部と、前記操作部により入力された情報および／または前記処理部により有価媒体の処理が行われる際に取得される情報を記憶する記憶部と、前記記憶部に記憶されている情報が修正されたときに修正前の情報および修正後の情報を出力する制御部と、を備え、前記記憶部に記憶されている情報のうち有価媒体の計数結果に係る情報が修正される際に、複数の取引の有価媒体の計数結果が結合されることを特徴とする。
【０００８】
このような有価媒体処理装置によれば、記憶部に記憶されている、有価媒体の処理に関する情報が修正されたときに修正前の情報および修正後の情報を出力することにより、操作者は修正後の情報に加えて修正前の情報を容易に取得することができるようになるため、修正を行った後に操作ミスが生じた場合でも操作ミスに対する復旧作業を容易かつ短時間で行うことができる。
【０００９】
本発明の有価媒体処理装置は、前記制御部により出力された情報を印字する印字部を更に備えていてもよい。
【００１０】
この場合、前記印字部は、１つの媒体に修正前の情報および修正後の情報をそれぞれ印字するようになっていてもよい。
【００１１】
本発明の有価媒体処理装置は、前記制御部により出力された情報を表示する表示部を更に備えていてもよい。
【００１４】
本発明の有価媒体処理装置においては、前記制御部は、修正を行った操作者に係る情報と、修正履歴とを紐付けて前記記憶部に記憶させるようになっていてもよい。
【００１５】
この場合、前記制御部は、前記操作部により有価媒体の処理に関する情報を入力した操作者に係る情報と、前記修正履歴とを紐付けて前記記憶部に記憶させるようになっていてもよい。
【００１６】
本発明の有価媒体処理システムは、有価媒体の処理を行う処理部を有する有価媒体処理装置と、前記有価媒体処理装置とは別に設けられ、当該有価媒体処理装置の管理を行う管理装置と、を備えた有価媒体処理システムであって、前記有価媒体処理装置の前記処理部による有価媒体の処理に関する情報を入力するための操作部と、前記操作部により入力された情報および／または前記有価媒体処理装置の前記処理部により有価媒体の処理が行われる際に取得される情報を記憶する記憶部と、前記記憶部に記憶されている情報が修正されたときに修正前の情報および修正後の情報を出力する制御部と、を備え、前記記憶部に記憶されている情報のうち有価媒体の計数結果に係る情報が修正される際に、複数の取引の有価媒体の計数結果が結合されることを特徴とする。
【００１７】
このような有価媒体処理システムによれば、記憶部に記憶されている、有価媒体の処理に関する情報が修正されたときに修正前の情報および修正後の情報を出力することにより、操作者は修正後の情報に加えて修正前の情報を容易に取得することができるようになるため、修正を行った後に操作ミスが生じた場合でも操作ミスに対する復旧作業を容易かつ短時間で行うことができる。
【００１８】
本発明の有価媒体処理システムにおいては、前記操作部、前記記憶部および前記制御部のうち少なくとも１つは前記管理装置に設けられていてもよい。
【００１９】
本発明の有価媒体処理方法は、入力された有価媒体の処理に関する情報を受け付ける工程と、受け付けた情報および／または有価媒体の処理が行われる際に取得された情報を記憶部に記憶させる工程と、前記記憶部に記憶されている情報が修正されたときに修正前の情報および修正後の情報を出力する工程と、を備え、前記記憶部に記憶されている情報のうち有価媒体の計数結果に係る情報が修正される際に、複数の取引の有価媒体の計数結果が結合されることを特徴とする。
【００２０】
このような有価媒体処理方法によれば、記憶部に記憶されている、有価媒体の処理に関する情報が修正されたときに修正前の情報および修正後の情報を出力することにより、操作者は修正後の情報に加えて修正前の情報を容易に取得することができるようになるため、修正を行った後に操作ミスが生じた場合でも操作ミスに対する復旧作業を容易かつ短時間で行うことができる。
【発明の効果】
【００２１】
本発明の有価媒体処理装置、有価媒体処理システムおよび有価媒体処理方法によれば、記憶部に記憶されている、有価媒体の処理に関する情報を修正した後に操作ミスが生じた場合でも、操作者は修正後の情報に加えて修正前の情報を容易に取得することができ、よって操作ミスに対する復旧作業を容易かつ短時間で行うことができる。
【図面の簡単な説明】
【００２２】
【図１】本発明の実施の形態による有価媒体処理装置や流通統合ターミナルが商業施設の入金室や出納室に設置されたときの構成を概略的に示す構成図である。
【図２】図１に示す有価媒体処理装置や流通統合ターミナルの通信接続関係を概略的に示すブロック図である。
【図３】本発明の実施の形態における有価媒体処理装置の外観を示す斜視図である。
【図４】図３に示す有価媒体処理装置の内部構成を模式的に示す構成図である。
【図５】本発明の実施の形態における有価媒体処理装置および流通統合ターミナルの制御系の構成を示す機能ブロック図である。
【図６】本発明の実施の形態における有価媒体処理装置による紙葉類の入金処理方法を示すフローチャートである。
【図７】（ａ）は、本発明の実施の形態による有価媒体処理装置のプリンタ装置により印字されたレシートの内容を示す図であり、（ｂ）は、従来技術の有価媒体処理装置のプリンタ装置により印字されたレシートの内容を示す図である。
【図８】（ａ）〜（ｆ）は、本発明の実施の形態による有価媒体処理装置において操作表示部により手入力されたリジェクト紙幣の情報を修正する際の当該操作表示部に表示される画面を順に示す図である。
【図９】（ａ）〜（ｄ）は、本発明の実施の形態による有価媒体処理装置において操作表示部により手入力されたレジ番号の情報を修正する際の当該操作表示部に表示される画面を順に示す図である。
【図１０】本発明の実施の形態による有価媒体処理装置において入金処理の完了ボタンが押下される際の操作表示部に表示される画面を示す図である。
【発明を実施するための形態】
【００２３】
以下、図面を参照して本発明の実施の形態について説明する。図１乃至図１０は、本実施の形態による有価媒体処理装置や流通統合ターミナルを示す図である。このうち、図１は、本実施の形態による有価媒体処理装置や流通統合ターミナルが商業施設の入金室や出納室に設置されたときの構成を概略的に示す構成図であり、図２は、図１に示す有価媒体処理装置や流通統合ターミナルの通信接続関係を概略的に示すブロック図である。また、図３は、本実施の形態における有価媒体処理装置の外観を示す斜視図であり、図４は、図３に示す有価媒体処理装置の内部構成を模式的に示す構成図である。また、図５は、本実施の形態における有価媒体処理装置および流通統合ターミナルの制御系の構成を示す機能ブロック図であり、図６は、本実施の形態における有価媒体処理装置による紙葉類の入金処理方法を示すフローチャートである。また、図７（ａ）は、本実施の形態による有価媒体処理装置のプリンタ装置により印字されたレシートの内容を示す図であり、図７（ｂ）は、従来技術の有価媒体処理装置のプリンタ装置により印字されたレシートの内容を示す図である。また、図８および図９は、それぞれ、本実施の形態による有価媒体処理装置において操作表示部により手入力されたリジェクト紙幣やレジ番号の情報を修正する際の当該操作表示部に表示される画面を順に示す図であり、図１０は、本実施の形態による有価媒体処理装置において入金処理の完了ボタンが押下される際の操作表示部に表示される画面を示す図である。なお、本実施の形態による有価媒体処理装置は、紙幣、硬貨、商品券等の有価媒体の入金処理や計数処理を行うものであり、このような有価媒体処理装置はスーパーマーケットやショッピングモール等の商業施設における入金室に設置されるようになっている。また、本実施の形態による流通統合ターミナルは、例えばデスクトップ型のコンピュータ等からなり、このような流通統合ターミナルは商業施設における出納室に設置されるようになっている。
【００２４】
まず、本実施の形態による有価媒体処理装置１や流通統合ターミナル１２０が設置されるスーパーマーケットやショッピングモール等の商業施設１００の構成について図１を用いて説明する。商業施設１００の店舗において、顧客が立ち入ることができる売場領域１０１（フロント領域）には、様々な商品が陳列される商品棚１０２や、商品の精算時に店員が顧客から商品の代金としての貨幣や商品券を受け取るためのレジカウンター１０４が設置されている。また、各々のレジカウンター１０４には、店員が顧客から受け取った商品の代金としての貨幣の入金処理および釣銭としての貨幣の出金処理を行うことができる貨幣釣銭機１０６や、貨幣釣銭機１０６に通信可能に接続され、顧客が購入した商品に係る情報や貨幣釣銭機１０６に収納されている貨幣に係る情報等の管理を行うＰＯＳレジスタ（図示せず）が設けられている。顧客がこのようなレジカウンター１０４で精算処理を行う際に、店員は、顧客から受け取った商品の代金としての貨幣を貨幣釣銭機１０６に入金したり、釣銭としての貨幣を貨幣釣銭機１０６から出金して顧客に返却したりするようになっている。また、このような店舗における顧客の立ち入りが禁止されたバックヤード領域（具体的には、例えば入金室１１０）には、貨幣釣銭機１０６から回収された売上金としての貨幣を入金する売上入金機が設置されている。また、このような商業施設１００において、売場領域１０１以外にテナント１５０が設置されている場合には、営業時間が終了した後に、テナント１５０から回収された貨幣も入金室１１０に設けられた売上入金機に入金されるようになる。売上入金機に入金された売上金としての貨幣は、警送会社の収集担当者により回収されて当該警送会社の管理センターに運搬されるようになっている。本実施の形態では、このような売上入金機として、紙幣および硬貨に加えて商品券等を含む有価媒体の処理を一つの装置で行うような有価媒体処理装置１が用いられるようになっている。
【００２５】
また、入金室１１０には、有価媒体処理装置１の操作を行う操作者を撮像するための撮像カメラ１１１が設置されている。本実施の形態では、このような撮像カメラ１１１により撮像された画像や動画に基づいて、有価媒体処理装置１の操作を行う操作者を特定することができるようになっている。
【００２６】
また、図１に示すように、商業施設１００の店舗における顧客の立ち入りが禁止されたバックヤード領域には出納室１１２が設けられており、このような出納室１１２には、デスクトップ型のコンピュータ等からなる流通統合ターミナル１２０が設けられている。ここで、図２に示すように、入金室１１０に設けられた有価媒体処理装置１や撮像カメラ１１１、および出納室１１２に設けられた流通統合ターミナル１２０はＬＡＮ１４２により互いに通信可能に接続されている。また、商業施設１００の有価媒体処理装置１や流通統合ターミナル１２０の管理を行う上位サーバ１４０が商業施設１００の本部に設けられており、インターネット回線等を介して当該上位サーバ１４０は有価媒体処理装置１や流通統合ターミナル１２０と通信可能に接続されている。
【００２７】
本実施の形態では、有価媒体処理装置１に入金された紙幣は警送会社の収集担当者によって当該有価媒体処理装置１の筐体２内から紙葉類収納部５３、５４ごと回収され、当該警送会社の管理センターに運搬される。一方、有価媒体処理装置１に入金された商品券は、出納室１１２に設けられた段ボール箱等に収納されて数ヶ月間保管され、その後、商品券は段ボール箱ごと廃棄される。また、有価媒体処理装置１の識別部２０による紙幣や商品券の識別結果に係る情報、および硬貨識別部８２による硬貨の識別結果に係る情報は流通統合ターミナル１２０に送信されるようになっており、当該流通統合ターミナル１２０において紙幣や硬貨、商品券の情報の管理が行われるようになっている。また、流通統合ターミナル１２０により管理される紙幣や硬貨、商品券の情報は上位サーバ１４０に送信されるようになっている。また、上位サーバ１４０は商品券の発行元と通信可能に接続されており、有価媒体処理装置１に入金された商品券の金額が、商品券の発行元等により、銀行等の金融機関における店舗の口座に入金されるようになる。
【００２８】
次に、本有価媒体処理装置１の構成の概略について図３乃至図５を用いて説明する。図３および図４に示すように、本実施の形態による有価媒体処理装置１は略直方体形状の筐体２を有しており、この筐体２内には、紙幣や商品券等の紙葉類の処理を行う紙葉類処理ユニットおよび硬貨の処理を行う硬貨処理ユニットがそれぞれ設けられている。また、有価媒体処理装置１の前面下部には下部扉４が設けられており、この下部扉４を開くことにより、筐体２内に収容された紙葉類収納部５３、５４（後述）や硬貨収納部９３、９４（後述）を筐体２の外部に引き出すことができるようになっている。
【００２９】
図３および図４に示すように、本実施の形態による有価媒体処理装置１は、紙葉類処理ユニットとして、紙幣や商品券を含む紙葉類が投入される投入部１０と、投入された紙葉類の各々の真偽および金種や券種を識別する識別部２０と、識別された紙葉類を搬送しながら４種別に分類する搬送分類機構３０と、分類された紙葉類が一時的に集積される４つの集積部４１〜４４と、４つの集積部４１〜４４の一部である２つの集積部４３、４４にそれぞれ対応して設けられた２つの紙葉類収納部５３、５４とを備えている。
【００３０】
投入部１０は、紙葉類ホッパとして構成されており、投入された紙葉類（紙幣／商品券）を受け入れて１枚ずつ繰出するようになっている。また、投入部１０には、当該投入部１０に残留する紙葉類を検知するための残留検知センサ（図示せず）が設けられている。
【００３１】
識別部２０は、イメージセンサや磁気センサを有しており、紙幣／商品券の区別の他、各紙幣の真偽および金種や、各商品券の種別等を識別するようになっている。商品券の種別の識別とは、当該店舗（およびそのチェーン店舗）で発行された商品券／他社で発行された商品券の区別や、当該店舗において処分可能な商品券／他の管理センターへの回収が必要な商品券の区別や、使用期限内の有効な商品券／使用期限切れの無効な商品券の区別等である。そして、有効な商品券については金額を特定することができる。
【００３２】
搬送分類機構３０は、紙葉類を搬送する搬送ベルト機構３５と、搬送路を切り換えるための３つの切換機構３１〜３３と、これらの搬送ベルト機構３５や３つの切換機構３１〜３３を制御する紙葉類制御部３６とを有している。そして、紙葉類制御部３６が識別部２０による識別結果に基づいて３つの切換機構３１〜３３を制御することによって、識別された紙葉類をそれぞれ対応する４つの集積部４１〜４４に分類して搬送するようになっている。
【００３３】
第１の集積部４１は、リジェクト部として構成されており、リジェクト対象の紙葉類が集積されるようになっている。第１の集積部４１（リジェクト部）は、常時外部に開放されており、常時外部からリジェクト対象の紙葉類を取り出し可能となっている。
【００３４】
第２の集積部４２は、スタッカ部として構成されており、１００枚程度までの紙葉類が集積されるようになっている。第２の集積部４２（スタッカ部）には、開閉可能なシャッタ４２ｓが設けられており、シャッタ４２ｓの開放時に外部から紙葉類を取り出し可能となっている。より詳細には、シャッタ４２ｓは電磁ロック部（図示せず）によりロックされており、当該電磁ロック部によるロックが解除されたときに操作者はシャッタ４２ｓを開くことができるようになっている。もっとも、シャッタ４２ｓの設置を省略することも可能である。その場合は、第１の集積部４１（リジェクト部）と同様に、常時外部からアクセス可能（紙葉類を取り出し可能）となる。
【００３５】
第３の集積部４３および第４の集積部４４は、それぞれ入金一時保留部として構成されており、１００枚程度の紙葉類が集積されるようになっている。そして、有価媒体処理装置１の操作者による承認の後には、入金一時保留部としての各集積部４３、４４の底面が開放されるようになっており、これらの集積部４３、４４に一時保留されていた紙葉類が対応する紙葉類収納部５３、５４に送り込まれるようになっている。また、有価媒体処理装置１の操作者によって非承認とされた後には、各集積部４３、４４に一時保留されていた紙葉類を有価媒体処理装置１の前方から取り出し可能となっている。より詳細には、図３に示すように、第３の集積部４３の前面には返却扉６が設けられており、当該返却扉６を開くことにより第３の集積部４３から紙葉類を筐体２の外部に取り出すことができるようになる。ここで、返却扉６は電磁ロック部（図示せず）によりロックされており、当該電磁ロック部によるロックが解除されたときに操作者は返却扉６を開いて第３の集積部４３から紙葉類を筐体２の外部に取り出すことができるようになる。また、図３および図４に示すように、第１の集積部４１、第２の集積部４２および第３の集積部４３は、筐体２から横方向に回動可能な回動部８に設けられており、当該回動部８を筐体２から横方向に回動させてこの回動部８を第４の集積部４４の前方から退避させることによりこの第４の集積部４４から紙葉類を筐体２の外部に取り出すことができるようになる。ここで、回動部８は電磁ロック部（図示せず）によりロックされており、当該電磁ロック部によるロックが解除されたときに操作者は回動部８を筐体２から横方向に回動させて第４の集積部４４から紙葉類を筐体２の外部に取り出すことができるようになる。
【００３６】
また、各集積部４１〜４４には、それぞれ、これらの集積部４１〜４４に紙葉類が集積されているときに当該紙葉類を検知するための残留検知センサ（図示せず）が設けられている。
【００３７】
２つの紙葉類収納部５３、５４は、２つの集積部４３、４４に対応して設けられており、紙葉類を収納可能なカセットから構成されている。各カセットは、収納された紙葉類の回収条件（例えば、回収作業者の権限等）を個別に設定可能となっており、設定された回収条件が満たされた場合にのみ有価媒体処理装置１の筐体２の外部からアクセス可能（すなわち、紙葉類を取り出し可能）となっている。
【００３８】
例えば、２つの紙葉類収納部５３、５４の少なくとも一つに対して設定される回収条件は、有価媒体処理装置１が設置される店舗（の操作者）が紙葉類の回収を許可されているという条件とされ、２つの紙葉類収納部５３、５４の少なくとも他の一つに対して設定される回収条件は、紙葉類の回収業務を委託される警送会社が紙葉類の回収を許可されているという条件とされ得る。このように回収条件が設定されることにより、店舗自身による回収作業と、警送会社による回収作業とを、それぞれ個別に設定して管理することが可能である。
【００３９】
本実施の形態による有価媒体処理装置１では、各紙葉類収納部５３、５４への有価媒体処理装置１の筐体２の外側からのアクセスを制限する構成として、図４および図５に示すように、公知のロック機構６３、６４、９７と、これらのロック機構６３、６４、９７を制御するロック制御部６５とが用いられるようになっている。ロック制御部６５には、ターミナル７０に内蔵された全体制御部７３を介してＩＣカードリーダ７１が接続されており、店舗所属の操作者が保有するＩＣカードをＩＣカードリーダ７１が読み取ったときに、店舗が紙葉類の回収を許可されていると判断し、そのような回収条件が設定されている紙葉類収納部５３、５４に対するアクセスが解放される。具体的には、ロック機構９７によるロックが解除されることにより下部ユニットが引き出し可能となり、さらにロック機構６３、６４によるロックが解除されることにより、紙葉類収納部５３、５４が筐体２の外部へ取出し可能となる。一方、警送会社の収集担当者が保有するＩＣカードをＩＣカードリーダ７１が読み取ったときに、当該警送会社が紙葉類の回収を許可されていると判断し、そのような回収条件が設定されている紙葉類収納部５３、５４に対するアクセスが解放される。具体的には、ロック機構９７によるロックが解除されることにより下部ユニットが引き出し可能となり、さらにロック機構６３、６４によるロックが解除されることにより、紙葉類収納部５３、５４が筐体２の外部へ取出し可能となる。そして、ロック機構６３、６４によるロックが解除された状態で下部扉４を開くことにより、店舗所属の操作者あるいは警送会社の収集担当者は、回収権限が設定された紙葉類収納部５３、５４を筐体２の外部に取り出すことができるようになる。
【００４０】
ターミナル７０には、全体制御部７３およびＩＣカードリーダ７１に加えて、タッチパネル等で構成された操作表示部７２が設けられている。操作表示部７２は、操作ガイダンスや入金処理時の取引データ等を表示するとともに、操作者の指示入力を受け付けるようになっている。
【００４１】
また、本実施の形態による有価媒体処理装置１の搬送分類機構３０において、紙葉類の搬送方向における識別部２０の下流側には、商品券を無効化するための消し込みの印刷処理を行う印刷部７５が設けられている。印刷部７５は例えばインクジェットプリンタから構成されており、様々な印刷パターンにより商品券に対して消し込みの印刷処理を行うことができるようになっている。印刷部７５は、有価媒体処理装置１の操作面に近接する位置に配置されており、筐体２のカバー（図示せず）を開放することにより、インクカートリッジの交換を容易に行うことができる。
【００４２】
また、本実施の形態による有価媒体処理装置１は、硬貨処理ユニットとして、硬貨が投入される硬貨投入部８０と、投入された硬貨の各々を識別する硬貨識別部８２と、識別された硬貨を搬送しながら３種別に分類する硬貨搬送分類機構８４と、分類された硬貨が一時的に集積される３つの硬貨集積部８６、８８、９０と、３つの硬貨集積部８６、８８、９０の一部である２つの硬貨集積部８８、９０にそれぞれ対応して設けられた２つの硬貨収納部９３、９４とを備えている。
【００４３】
硬貨投入部８０は硬貨ホッパとして構成されており、投入された硬貨を受け入れて１枚ずつ繰り出すようになっている。また、硬貨識別部８２は磁気センサ等を有しており、硬貨の真偽の区別の他、各硬貨の金種を識別するようになっている。また、硬貨搬送分類機構８４は、硬貨制御部９８によって制御されるソレノイド付き選別部材を有する強制選別機構によって構成されており、選別された硬貨を３つの硬貨集積部８６、８８、９０に分類して搬送するようになっている。ここで、硬貨搬送分類機構８４は、振り分ける硬貨の種別を任意に設定できるようになっている。
【００４４】
第１の硬貨集積部８６は、リジェクト部として構成されており、リジェクト対象の硬貨が集積されるようになっている。第１の硬貨集積部８６（リジェクト部）に集積された硬貨は、常時外部から取り出し可能となっている。また、第２の硬貨集積部８８および第３の硬貨集積部９０は、それぞれ入金一時保留部として構成されており、それぞれに１００枚程度までの硬貨が集積されるようになっている。そして、有価媒体処理装置１の操作者による承認の後には、入金一時保留部の枠体が移動されるようになっており、一時保留されていた硬貨が対応する硬貨収納部９３、９４に送り込まれるようになっている。また、有価媒体処理装置１の操作者によって非承認とされた後には、入金一時保留部の底板が退避し、一時保留されていた硬貨が当該入金一時保留部の下方の硬貨返却箱９１、９２に送り込まれ、当該硬貨返却箱９１、９２が筐体２外へ引き出されることにより硬貨が取り出し可能となっている。
【００４５】
２つの硬貨収納部９３、９４は、２つの硬貨集積部８８、９０に対応して設けられており、硬貨を収納可能なカセットから構成されている。各硬貨カセットは、収納された硬貨の回収条件（例えば、回収作業者の権限等）を個別に設定可能となっており、設定された回収条件が満たされた場合にのみ有価媒体処理装置１の筐体２の外側へ取り出し可能となっている。
【００４６】
例えば、２つの硬貨収納部９３、９４の少なくとも一つに対して設定される回収条件は、有価媒体処理装置１が設置される店舗（の操作者）が硬貨の回収を許可されているという条件とされ、２つの硬貨収納部９３、９４の少なくとも他の一つに対して設定される回収条件は、硬貨の回収業務を委託される警送会社が硬貨の回収を許可されているという条件とされ得る。このように回収条件が設定されることにより、店舗自身による回収作業と、警送会社による回収作業とを、それぞれ個別に設定して管理することが可能である。
【００４７】
各硬貨収納部９３、９４への有価媒体処理装置１の筐体２の外側からのアクセスを制限する構成として、図４および図５に示すように、公知のロック機構９５、９６、９７と、これらのロック機構９５、９６、９７を制御するロック制御部６５とが用いられるようになっている。前述のように、ロック制御部６５にはＩＣカードリーダ７１が接続されており、店舗所属の操作者が所有するＩＣカードをＩＣカードリーダ７１が読み取ったときに、店舗が硬貨の回収を許可されていると判断し、そのような回収条件が設定されている硬貨収納部９３、９４に対するアクセスが解放される。具体的には、ロック機構９７によるロックが解除されることにより下部ユニットが引き出し可能となり、さらにロック機構９５、９６によるロックが解除されることにより、硬貨収納部９３、９４を筐体２の外部へ取出し可能となる。一方、警送会社の収集担当者が所有するＩＣカードをＩＣカードリーダ７１が読み取ったときに、警送会社が硬貨の回収を許可されていると判断し、そのような回収条件が設定されている硬貨収納部９３、９４に対するアクセスが解放される。具体的には、ロック機構９７によるロックが解除されることにより下部ユニットが引き出し可能となり、さらにロック機構９５、９６によるロックが解除されることにより、硬貨収納部９３、９４を筐体２の外部へ取出し可能となる。そして、ロック機構９５、９６によるロックが解除された状態で下部扉４を開くことにより、店舗所属の操作者あるいは警送会社の収集担当者は、回収権限が設定された硬貨収納部９３、９４を筐体２の外部に取り出すことができるようになる。
【００４８】
以上のように、本実施の形態による有価媒体処理装置１では、ロック制御部６５は、５つのロック機構６３、６４、９５、９６、９７を制御するようになっている。
【００４９】
また、本実施の形態による有価媒体処理装置１には、識別された紙葉類ないし硬貨の各集積部４１〜４４ないし各硬貨集積部８６、８８、９０への分類条件（分類パターン）を記憶しておく記憶部７４がターミナル７０内に設けられている。記憶部７４に記憶された分類条件は、搬送分類機構３０による紙葉類の搬送ないし分類を制御するための紙葉類制御部３６、および硬貨搬送分類機構８４による硬貨の搬送ないし分類を制御するための硬貨制御部９８に適時に読み出されるようになっている。
【００５０】
また、記憶部７４は、各紙葉類収納部５３、５４および各硬貨収納部９３、９４に対して設定される回収条件（例えば、回収作業者の権限等）も記憶するようになっており、各紙葉類収納部５３、５４および各硬貨収納部９３、９４への有価媒体処理装置１の筐体２の外側からのアクセスの制限／許容を判別して制御するためにロック制御部６５に適時に読み出されるようになっている。
【００５１】
また、記憶部７４は、識別部２０による紙葉類の識別のための詳細情報（例えば、識別処理に用いる辞書データ等）を記憶しており、識別部２０に適時に読み出されるようになっている。
【００５２】
また、本実施の形態による有価媒体処理装置１には、入金処理時の取引データや、締め時／回収時等における集計データをプリントアウトするプリンタ装置７６が設けられている。
【００５３】
さらに、本実施の形態による有価媒体処理装置１には、外部機器（具体的には、流通統合ターミナル１２０）と通信可能であり、当該流通統合ターミナル１２０から識別情報や分類条件（分類パターン）を取得したり、入金結果等を流通統合ターミナル１２０に送信可能な通信インターフェース部７８が設けられている。
【００５４】
図５に示すように、本実施の形態による流通統合ターミナル１２０は、ＣＰＵ等の制御部１２２と、液晶ディスプレイからなるモニタ等の表示部１２４と、キーボードやマウス等の操作部１２６と、ハードディスク等の記憶部１２８とを有するコンピュータ等からなる。このような流通統合ターミナル１２０において、表示部１２４および操作部１２６が別々に設けられる代わりに、表示部１２４および操作部１２６の両方の機能を有するタッチパネル等が用いられるようになっていてもよい。また、記憶部１２８は、コンピュータ等に内蔵されるものに限定されることはなく、外付けのハードディスクやＵＳＢメモリ等のコンピュータ等から取り外し可能なものが用いられてもよい。また、本実施の形態による流通統合ターミナル１２０において、レーザープリンタ等のプリンタ装置１３０がコンピュータ等（厳密には、制御部１２２）に接続されており、貨幣や商品券等の情報をプリンタ装置１３０によりプリントアウトすることができるようになっている。
【００５５】
次に、このような構成からなる有価媒体処理装置１による紙幣や硬貨、商品券等の有価媒体の処理方法、具体的には有価媒体の入金方法について以下に説明する。なお、以下に示すような有価媒体処理装置１の動作は、全体制御部７３が紙葉類制御部３６や硬貨制御部９８を介して有価媒体処理装置１の各構成要素の制御を行うことにより行われるようになっている。
【００５６】
売場領域１０１に設けられたレジカウンター１４から回収された紙幣や硬貨、商品券を有価媒体処理装置１に入金するにあたり、操作者はまず操作表示部７２により商業施設１００の店舗の識別番号（以下、店番号ともいう）およびレジカウンター１４の番号（以下、レジ番号ともいう）を入力する。すると、有価媒体処理装置１の全体制御部７３において貨幣や商品券の回収元である店舗やレジカウンター１０４の特定が行われる。
【００５７】
次に、本実施の形態の有価媒体処理装置１による紙葉類の入金処理方法について図６に示すフローチャートを用いて説明する。操作者が操作表示部７２により店番号やレジ番号を入力することにより紙葉類（具体的には、紙幣や商品券）の回収元である店舗やレジカウンター１０４の特定が行われた後、操作者が投入部１０に紙葉類を投入すると（ＳＴＥＰ１の「ＹＥＳ」）、投入部１０から紙葉類が１枚ずつ有価媒体処理装置１の機体内に繰り出され（ＳＴＥＰ２）、搬送分類機構３０により搬送される紙葉類は識別部２０により識別される（ＳＴＥＰ３）。ここで、識別部２０により識別された紙葉類が商品券である場合には（ＳＴＥＰ４の「商品券」）、当該商品券の計数データ（種類別の入金枚数、合計金額等）がレジカウンター１０４毎に加算される（ＳＴＥＰ５）。また、識別部２０により識別された紙葉類が商品券である場合には、印刷部７５により当該商品券に対して消し込みの印刷処理が行われる（ＳＴＥＰ６）。なお、識別部２０により識別された商品券が有効期限切れ券、もぎり券、受け付け対象外券等であり印刷対象外条件に一致する場合には、商品券に対して消し込みの印刷処理は行われない。また、印刷部７５を通過した商品券は、記憶部７４に記憶された搬送収納先に係る情報に基づいて、対応する集積部４１〜４４へ振り分けられる（ＳＴＥＰ８）。例えば、識別部２０により正常に識別された商品券は入金一時保留部としての第４の集積部４４に振り分けられる。
【００５８】
一方、識別部２０により識別された紙葉類が紙幣である場合には（ＳＴＥＰ４の「紙幣」）、当該紙幣の計数データ（金種別の入金枚数、合計金額等）がレジカウンター１０４毎に加算される（ＳＴＥＰ７）。なお、識別部２０により識別された紙葉類の種類が紙幣であるときには、印刷部７５により当該紙幣に対して消し込みの印刷処理は行われない。また、識別部２０により識別された紙幣は、記憶部７４に記憶された搬送収納先に係る情報に基づいて、対応する集積部４１〜４４へ振り分けられる（ＳＴＥＰ８）。例えば、識別部２０により正常に識別された紙幣は入金一時保留部としての第３の集積部４３に振り分けられる。なお、識別部２０により識別された紙葉類が正常な紙幣や商品券ではないリジェクト券である場合には（ＳＴＥＰ４の「リジェクト券」）、当該リジェクト券の計数データは加算されることなく、また、印刷部７５により当該リジェクト券に対して消し込みの印刷処理が行われることなく、リジェクト部としての集積部４１に送られるようになる（ＳＴＥＰ９）。
【００５９】
投入部１０に紙葉類が残っている場合には（ＳＴＥＰ１０の「ＹＥＳ」）、図６のＳＴＥＰ２〜ＳＴＥＰ９に示す動作が繰り返し行われるようになる。一方、投入部１０に投入された紙葉類が全て有価媒体処理装置１の機体内に繰り出された後（ＳＴＥＰ１０の「ＮＯ」）、操作者によって操作表示部７２により承認入力が行われると（ＳＴＥＰ１１の「ＹＥＳ」）、集積部４３、４４に一時保留されていた紙葉類が対応する紙葉類収納部５３、５４に送り込まれて収納される（ＳＴＥＰ１２）。このことにより、例えば、識別部２０により正常に識別された紙幣は紙葉類収納部５３に収納され、また、識別部２０により正常に識別された商品券は紙葉類収納部５４に収納される。一方、操作者によって操作表示部７２により承認入力が行われず代わりに返却入力が行われると（ＳＴＥＰ１１の「ＮＯ」）、各集積部４３、４４に一時保留されていた紙葉類を有価媒体処理装置１の前方から取り出し可能となる（ＳＴＥＰ１３）。このようにして、有価媒体処理装置１における一連の紙葉類の入金処理が完了する。
【００６０】
次に、本実施の形態の有価媒体処理装置１による硬貨の入金処理方法について説明する。操作者が操作表示部７２により店番号やレジ番号を入力することにより硬貨の回収元である店舗やレジカウンター１０４の特定が行われた後、操作者が硬貨投入部８０に硬貨を投入すると、硬貨投入部８０から硬貨が１枚ずつ有価媒体処理装置１の機体内に繰り出され、硬貨搬送分類機構８４により搬送される硬貨は硬貨識別部８２により識別される。ここで、硬貨識別部８２により識別された硬貨が正常な硬貨である場合には、当該硬貨の計数データ（金種別の入金枚数、合計金額等）がレジカウンター１０４毎に加算される。そして、硬貨識別部８２により識別された硬貨は第２の硬貨集積部８８または第３の硬貨集積部９０に例えば金種毎に送られる。一方、硬貨識別部８２により識別された硬貨が正常な硬貨ではなかったり、硬貨識別部８２により硬貨を識別できなかったりした場合には、当該硬貨の計数データは加算されることなく、この硬貨はリジェクト部としての第１の硬貨集積部８６に送られるようになる。
【００６１】
硬貨投入部８０に投入された硬貨が全て有価媒体処理装置１の機体内に繰り出され、各硬貨集積部８６、８８、９０に送られた後、操作者によって操作表示部７２により承認入力が行われると、各硬貨集積部８８、９０に一時保留されていた硬貨が対応する硬貨収納部９３、９４に送り込まれて収納される。一方、操作者によって操作表示部７２により承認入力が行われず代わりに返却入力が行われると、各硬貨集積部８８、９０に一時保留されていた硬貨が硬貨返却箱９１、９２に送られ、硬貨返却箱９１、９２を有価媒体処理装置１の前方から引き出すことにより返却硬貨を取り出し可能となる。このようにして、有価媒体処理装置１における一連の硬貨の入金処理が完了する。
【００６２】
その後、操作者は、リジェクト部としての第１の集積部４１から取り出されたリジェクト券としての紙幣や商品券、およびリジェクト部としての第１の硬貨集積部８６から取り出されたリジェクト硬貨の情報を有価媒体処理装置１の操作表示部７２で手入力する。具体的には、リジェクト部としての第１の集積部４１や第１の硬貨集積部８６から取り出された紙幣や硬貨については、操作者は紙幣や硬貨の金種毎の枚数を操作表示部７２で手入力する。このような操作表示部７２による紙幣や硬貨の情報の入力方法については後述する。また、リジェクト部としての第１の集積部４１から取り出された商品券については、操作者は当該商品券の種類（具体的には、商品券の発行元および金額の組合せ）および券番号を操作表示部７２で手入力する。
【００６３】
なお、リジェクト部としての第１の集積部４１や第１の硬貨集積部８６から取り出された紙幣や硬貨、商品券の情報が全て操作者により有価媒体処理装置１に手入力された後、操作者はこれらの紙幣や商品券、硬貨を有価媒体処理装置１に強制入金させてもよい。あるいは、リジェクト部としての第１の集積部４１や第１の硬貨集積部８６から取り出された紙幣や硬貨については警送会社の収集担当者により直接回収させる一方、リジェクト部としての第１の集積部４１から取り出された商品券については出納室１１２に設けられた段ボール箱等に直接収納してもよい。
【００６４】
本実施の形態の有価媒体処理装置１では、操作表示部７２において店番号やレジ番号、あるいはリジェクトされた紙幣や硬貨、商品券の情報の入力ミスがあった場合に、誤って入力した情報を操作表示部７２により修正することができるようになっている。このような操作表示部７２による情報の修正方法について図８および図９を用いて説明する。
【００６５】
図８（ａ）〜（ｆ）は、本実施の形態による有価媒体処理装置１において操作表示部７２により手入力されたリジェクト券としての紙幣（以下、リジェクト紙幣ともいう）の情報を修正する際の当該操作表示部７２に表示される画面を順に示す図である。
【００６６】
レジカウンター１４から回収された紙幣や硬貨、商品券を有価媒体処理装置１に入金する際に、操作表示部７２には図８（ａ）に示すような入金画面が表示される。その後、リジェクト部としての第１の集積部４１から取り出されたリジェクト紙幣の情報を有価媒体処理装置１の操作表示部７２で手入力する際に、操作表示部７２には図８（ｂ）に示すような入力画面が表示される。このような入力画面において、本来であればリジェクト紙幣が一万円札１枚であるにもかかわらず操作者が誤ってリジェクト紙幣が一万円札１１枚であると操作表示部７２により手入力してしまい、図８（ｃ）に示す画面において「完了」ボタンを押下することにより処理を完了させてしまった場合には、記憶部７４には誤った情報が記憶されるようになる。具体的には、実際には入金された現金の合計金額が１１万円であるにもかかわらず、入金された現金の合計金額が２１万円であるという情報が記憶部７４に記憶された状態で入金処理が完了してしまう。このため、記憶部７４に記憶されている情報（すなわち、手入力されたリジェクト紙幣の情報）を操作者は操作表示部７２により修正する必要がある。
【００６７】
図８（ｄ）は、記憶部７４に記憶されている情報を操作者が修正しようとする際に操作表示部７２に表示される修正画面である。操作表示部７２にこのような修正画面が表示されているときに、操作者が修正する項目を選択すると、操作表示部７２は図８（ｅ）に示すような画面に切り替わる。このような画面において、操作者が「消去」ボタンを押下することにより手入力されたリジェクト紙幣の情報を一度取り消した後、リジェクト紙幣の金種毎の正しい枚数を入力し、図８（ｆ）に示す画面において「完了」ボタンを押下すると、記憶部７４に記憶されている情報が修正されるようになる。
【００６８】
なお、上記の説明では、操作表示部７２により手入力されたリジェクト紙幣の情報の修正方法について述べたが、操作表示部７２により手入力されたリジェクト券としての商品券の情報やリジェクト硬貨の情報の修正方法もリジェクト紙幣の情報の修正方法と略同一である。
【００６９】
次に、操作表示部７２において店番号やレジ番号の入力ミスがあった場合に、誤って入力した店番号やレジ番号を操作表示部７２により修正する方法について説明する。図９（ａ）〜（ｄ）は、本実施の形態による有価媒体処理装置１において操作表示部７２により手入力されたレジ番号の情報を修正する際の当該操作表示部７２に表示される画面を順に示す図である。
【００７０】
売場領域１０１に設けられたレジカウンター１４から回収された紙幣や硬貨、商品券を有価媒体処理装置１に入金するにあたり、操作者が操作表示部７２によりレジ番号を手入力する際に操作表示部７２には図９（ａ）に示す画面が表示される。このような表示画面において、操作者が本来であればレジ番号が１００２であるにもかかわらず誤ってレジ番号として１００１という数字を手入力してしまい、その後、操作者がレジ番号の入力ミスに気づかずに貨幣や商品券の入金処理を行って図９（ｂ）に示す表示画面における「完了」ボタンを押下することにより入金処理を完了させた場合には、記憶部７４には誤った情報が記憶されるようになる。具体的には、紙幣や硬貨、商品券の入金処理に係る取引データがレジ番号１００２に紐付けられて記憶部７４に記憶される代わりに当該取引データがレジ番号１００１に紐付けられて記憶部７４に記憶されてしまう。例えば、本来であればレジ番号１００１に係る入金処理による計数結果が一万円札１０枚であるとともにレジ番号１００２に係る入金処理による計数結果が一万円札１２枚であるにもかかわらず、レジ番号の入力ミスによりレジ番号１００１に係る入金処理による計数結果が一万円札２２枚であるとともにレジ番号１００２に係る入金処理による計数結果が一万円札０枚であるという情報が記憶部７４に記憶されてしまう。このため、記憶部７４に記憶されている情報を操作者は操作表示部７２により修正する必要がある。
【００７１】
図９（ｃ）は、記憶部７４に記憶されている情報を操作者が修正しようとする際に操作表示部７２に表示される修正画面である。まず、レジ番号１００１に係る入金処理による計数結果を修正するにあたり、操作表示部７２に図９（ｃ）に示すような修正画面が表示されているときに、操作者が修正する項目を選択すると、操作表示部７２は図９（ｄ）に示すような画面に切り替わる。このような画面において、操作者がレジ番号１００１に係る入金処理による計数結果について「消去」ボタンを押下することにより一度取り消した後、レジ番号１００１における正しい計数結果（すなわち、入金処理による計数結果が一万円札１０枚であるとう情報）を再入力する。次に、操作者はレジ番号１００２に係る入金処理による計数結果について「消去」ボタンを押下することにより一度取り消した後、レジ番号１００２における正しい計数結果（すなわち、入金処理による計数結果が一万円札１２枚であるとう情報）を再入力する。このことにより、各レジ番号に正しい取引データを紐付けて記憶部７４に記憶させることができるようになる。
【００７２】
なお、上記の説明では、操作表示部７２においてレジ番号の入力ミスがあった場合における記憶部７４に記憶されている情報の修正方法について述べたが、操作表示部７２において店番号の入力ミスがあった場合における記憶部７４に記憶されている情報の修正方法もレジ番号の入力ミスがあった場合の修正方法と略同一である。
【００７３】
また、本実施の形態の有価媒体処理装置１では、紙幣や硬貨、商品券の入金処理を行った後に、図１０に示すような操作表示部７２の表示画面における「完了」ボタンを操作者が押下し忘れることにより入金処理が完了していない状態となってしまい、このような状態で別の操作者が続けて当該有価媒体処理装置１で貨幣や商品券の入金処理を行ってしまうと、前の操作者が入力した店番号やレジ番号に、後の操作者が行った入金処理による計数結果が紐付けられて記憶部７４に記憶されてしまう。このため、貨幣や商品券の入金処理を行った後に「完了」ボタンを操作者が押下し忘れたことに気づいた場合には、その後の紙幣や硬貨、商品券の入金処理による取引データを修正する必要がある。具体的には、操作者は操作表示部７２によって、記憶部７４に記憶されている１つの取引データ（具体的には、１つの取引における有価媒体の計数結果）を複数の取引データに分割するようになる。このことにより、記憶部７４に記憶されている１つの取引の有価媒体の計数結果を、例えばレジ番号毎の有価媒体の計数結果に分割することができるようになる。
【００７４】
また、本実施の形態の有価媒体処理装置１では、操作者は操作表示部７２によって、記憶部７４に記憶されている、複数の取引データ（具体的には、複数の取引における有価媒体の計数結果）を１つの取引データとして結合することができるようになっている。例えば、有価媒体処理装置１において紙幣や硬貨、商品券の入金処理を行っている際にジャム等のトラブルが発生し、入金処理が一時的に中断した場合には、トラブルが解消された後に再開された入金処理に係る有価媒体の計数結果を、トラブルが発生する前の入金処理に係る有価媒体の計数結果と結合することにより、最初から入金処理を行う代わりに途中から引き続き入金処理を行うことができるようになる。
【００７５】
また、有価媒体処理装置１においてある取引に関する有価媒体（具体的には、紙幣や硬貨、商品券）の入金処理が終了して操作者が操作表示部７２に表示される「完了」ボタンを押下した後に、同じ取引についての有価媒体の追加の入金処理を行いたい場合にも、このような追加の入金処理における有価媒体の計数結果を最初の入金処理における有価媒体の計数結果に結合することにより、「完了」ボタンを押下した後に行われる入金処理における有価媒体の計数結果を、「完了」ボタンが押下される前の入金処理における有価媒体の計数結果に含めることができるようになる。
【００７６】
また、本実施の形態の有価媒体処理装置１では、全体制御部７３は、記憶部７４に記憶されている情報が修正されたときに修正前の情報および修正後の情報を出力するようになっており、全体制御部７３により出力された情報はプリンタ装置７６によりレシートに印字されたり、操作表示部７２に表示されたりするようになっている。ここで、全体制御部７３により出力された情報がプリンタ装置７６によりレシートに印字される場合には、１枚のレシートに修正前の情報および修正後の情報がそれぞれ印字されるようになる。図７（ａ）は、修正前の情報および修正後の情報がそれぞれプリンタ装置７６により印字されたレシートを示す図である。図７（ａ）に示すように、修正前の情報および修正後の情報がそれぞれ１枚のレシートに印字されることにより、操作者は当該レシートを見るだけで修正前の情報および修正後の情報の両方を認識することができるようになる。また、全体制御部７３により出力された情報が操作表示部７２に表示される場合には、１つの画面に修正前の情報および修正後の情報がそれぞれ表示されるか、あるいは修正前の情報および修正後の情報が切り替え表示されるようになる。
【００７７】
従来技術の有価媒体処理装置では、有価媒体の処理に関する情報が修正されたときに、図７（ｂ）に示すように、レシートには修正後の情報のみが印刷されるようになっていた。しかしながら、このような場合には、修正を行った後に操作ミスが生じた場合には修正前の情報が分からなくなってしまうという問題があった。修正前の情報が分からなくなってしまうと、操作ミスに対する復旧作業を行う際に有価媒体の処理に関する情報の過去のログを調べなければならず、このような作業は非常に手間がかかり時間がかかってしまう。これに対し、本実施の形態の有価媒体処理装置１では、全体制御部７３は、記憶部７４に記憶されている、有価媒体の処理に関する情報が修正されたときに修正前の情報および修正後の情報を出力し、出力された情報をプリンタ装置７６によりレシートに印字したり操作表示部７２に表示したりすることにより、操作者は修正後の情報に加えて修正前の情報を容易に取得することができるようになるため、修正を行った後に操作ミスが生じた場合でも操作ミスに対する復旧作業を容易かつ短時間で行うことができるようになる。
【００７８】
なお、本実施の形態では、全体制御部７３により出力された情報をプリンタ装置７６によりレシートに印字する設定（第１の設定）、全体制御部７３により出力された情報を操作表示部７２に表示させる設定（第２の設定）、および全体制御部７３により出力された情報をプリンタ装置７６によりレシートに印字するとともに操作表示部７２に表示させる設定（第３の設定）のうちいずれかの設定を操作表示部７２において選択的に行うことができるようになっている。また、全体制御部７３により出力された情報をプリンタ装置７６によりレシートに印字する場合、レシートの印字項目や、修正前および修正後の印字の順番等を選択的に設定することができるようになっている。
【００７９】
また、本実施の形態では、上述したように、入金室１１０には、有価媒体処理装置１の操作を行う操作者を撮像するための撮像カメラ１１１が設置されており、このような撮像カメラ１１１により撮像された画像や動画に基づいて、有価媒体処理装置１の操作を行う操作者を特定することができるようになっている。また、本実施の形態の有価媒体処理装置１において記憶部７４に記憶されている情報が操作表示部７２により修正された場合に、全体制御部７３は、修正を行った操作者に係る情報と、修正履歴とを紐付けて記憶部７４に記憶させることができるようになっている。従来では、記憶部７４に記憶されている情報の修正は管理者のみしか行うことができなかったが、本実施の形態のように、修正履歴と、修正を行った操作者に係る情報とを紐付けて記憶部７４に記憶させるような運用が行われる場合には、記憶部７４に記憶されている情報の修正を誰でも行うことができるようになる。また、全体制御部７３は、操作表示部７２により有価媒体の処理に関する情報（例えば、店番号やレジ番号、あるいはリジェクト紙幣やリジェクト硬貨等の情報）を手入力した操作者に係る情報と、修正履歴とを紐付けて記憶部７４に記憶させるようになっていてもよい。この場合には、有価媒体処理装置１において入金処理を行った操作者と、記憶部７４に記憶されている情報の修正を行った操作者とが異なる場合でも、両者の操作者の情報を確実に把握することができるようになる。なお、有価媒体処理装置１の操作を行った操作者の特定方法は、上述したような撮像カメラ１１１により撮像された画像や動画に基づく方法に限定されることはない。他の方法として、有価媒体処理装置１において紙幣や硬貨、商品券の入金処理を行う際に、操作者は自己が携帯するＩＣカードをＩＣカードリーダ７１により読み取らせるようになっていてもよい。この場合には、ＩＣカードリーダ７１により読み取られた情報に基づいて操作者の特定が行われるようになる。
【００８０】
以上のような構成からなる本実施の形態の有価媒体処理装置１によれば、記憶部７４には、操作表示部７２により入力された情報および処理部（具体的には、投入部１０、識別部２０、搬送分類機構３０等）により有価媒体の処理が行われる際に取得される情報が記憶されるようになっており、全体制御部７３は、記憶部７４に記憶されている情報が修正されたときに修正前の情報および修正後の情報を出力するようになっている。このような有価媒体処理装置１によれば、記憶部７４に記憶されている、有価媒体の処理に関する情報が修正されたときに修正前の情報および修正後の情報を出力することにより、操作者は修正後の情報に加えて修正前の情報を容易に取得することができるようになるため、修正を行った後に操作ミスが生じた場合でも操作ミスに対する復旧作業を容易かつ短時間で行うことができる。
【００８１】
また、本実施の形態の有価媒体処理装置１においては、上述したように、全体制御部７３により出力された情報がプリンタ装置７６によりレシートに印字されるようになっている。この際に、プリンタ装置７６は、１つの媒体（具体的には、レシート）に修正前の情報および修正後の情報をそれぞれ印字するようになっている。この場合には、操作者は当該レシートを見るだけで修正前の情報および修正後の情報の両方を認識することができるようになる。また、本実施の形態の有価媒体処理装置１においては、上述したように、全体制御部７３により出力された情報が操作表示部７２に表示されるようになっている。
【００８２】
なお、上記の説明では、記憶部７４に記憶されている情報が修正されたときに全体制御部７３が修正前の情報および修正後の情報を関連付けて出力するような態様について述べたが、本実施の形態の有価媒体処理装置１は必ずしもこのような態様に限定されることはない。本実施の形態の有価媒体処理装置１において、記憶部７４に記憶されている情報が修正されたときに、全体制御部７３が修正前の情報および修正後の情報を別々に出力するようになっていてもよい。この場合には、全体制御部７３により出力された修正前の情報および修正後の情報が別々にプリンタ装置７６によりレシートに印字されたり、全体制御部７３により出力された修正前の情報および修正後の情報が別々に操作表示部７２に表示されたりするようになる。
【００８３】
また、本実施の形態の有価媒体処理装置１においては、上述したように、記憶部７４に記憶されている情報のうち有価媒体の計数結果に係る情報が修正される際に、複数の取引の有価媒体の計数結果（すなわち、複数の取引データ）が１つの取引の有価媒体の計数結果（すなわち、１つの取引データ）として結合されるようになっている。また、記憶部７４に記憶されている情報のうち有価媒体の計数結果に係る情報が修正される際に、１つの取引の有価媒体の計数結果（すなわち、１つの取引データ）が複数の取引の有価媒体の計数結果（すなわち、複数の取引データ）に分割されるようになっている。
【００８４】
また、本実施の形態の有価媒体処理装置１においては、上述したように、全体制御部７３は、修正を行った操作者に係る情報と、修正履歴とを紐付けて記憶部７４に記憶させるようになっている。この場合には、記憶部７４に記憶されている情報の修正を誰でも行うことができるようになる。また、全体制御部７３は、操作表示部７２により有価媒体の処理に関する情報を入力した操作者に係る情報と、修正履歴とを紐付けて記憶部７４に記憶させるようになっている。この場合には、有価媒体処理装置１において入金処理を行った操作者と、記憶部７４に記憶されている情報の修正を行った操作者とが異なる場合でも、両者の操作者の情報を確実に把握することができるようになる。
【００８５】
なお、本実施の形態による有価媒体処理装置１やこのような有価媒体処理装置１による有価媒体処理方法は、上述したような態様に限定されることはなく、様々な変更を加えることができる。
【００８６】
例えば、記憶部７４は、操作表示部７２により入力された情報（例えば、店番号やレジ番号、あるいはリジェクト紙幣やリジェクト硬貨等の情報）および処理部（具体的には、投入部１０、識別部２０、搬送分類機構３０等）により有価媒体の処理が行われる際に取得される情報の両方を記憶することに限定されることはない。変形例に係る有価媒体処理装置１において、記憶部７４は、操作表示部７２により入力された情報のみを記憶するようになっていてもよく、あるいは、処理部（具体的には、投入部１０、識別部２０、搬送分類機構３０等）により有価媒体の処理が行われる際に取得される情報のみを記憶するようになっていてもよい。
【００８７】
また、本実施の形態の有価媒体処理装置１に通信可能に接続された流通統合ターミナル１２０が、有価媒体処理装置１の管理を行う管理装置として用いられるようになっていてもよい。この場合には、有価媒体処理装置１および流通統合ターミナル１２０を組み合わせることにより本発明に係る有価媒体処理システムが構成されるようになる。このような有価媒体処理システムにおいては、有価媒体処理装置１による有価媒体の処理に関する情報を入力するための操作部、当該操作部により入力された情報および／または有価媒体処理装置１の処理部（具体的には、投入部１０、識別部２０、搬送分類機構３０等）により有価媒体の処理が行われる際に取得される情報を記憶する記憶部、および記憶部に記憶されている情報が修正されたときに修正前の情報および修正後の情報を出力する制御部が全て有価媒体処理装置１に設けられることに限定されることはない。上記の操作部、記憶部および制御部のうち少なくとも１つのもの、あるいは操作部、記憶部および制御部の全てが有価媒体処理装置１ではなく流通統合ターミナル１２０に設けられるようになっていてもよい。また、制御部により出力された、修正前の情報および修正後の情報が有価媒体処理装置１のプリンタ装置７６によりレシートに印字されるのではなく流通統合ターミナル１２０のプリンタ装置１３０によりレシートに印字されるようになっていてもよい。また、制御部により出力された、修正前の情報および修正後の情報が有価媒体処理装置１の操作表示部７２に表示されるのではなく流通統合ターミナル１２０の表示部１２４に表示されるようになっていてもよい。
【００８８】
また、上記の説明では、記憶部に記憶されている情報が修正されたときに修正前および修正後の情報を出力するという本発明の原理を、紙幣、硬貨および商品券の入金処理や計数処理を行う有価媒体処理装置に適用したが、このような例に限定されることはない。記憶部に記憶されている情報が修正されたときに修正前および修正後の情報を出力するという本発明の原理を、顧客から受け取った商品の代金としての貨幣を入金したり、釣銭としての貨幣を出金したりする貨幣釣銭機に適用してもよい。この場合には、上記のような本発明の原理が適用される貨幣釣銭機を、本発明に係る有価媒体処理装置に含めることができるようになる。
【符号の説明】
【００８９】
１        有価媒体処理装置
２        筐体
４        下部扉
６        返却扉
８        回動部
１０      投入部
１４      レジカウンター
２０      識別部
３０      搬送分類機構
３１、３２、３３  切換機構
３５      搬送ベルト機構
３６      紙葉類制御部
４１      第１の集積部
４２      第２の集積部
４２ｓ    シャッタ
４３      第３の集積部
４４      第４の集積部
５３、５４  紙葉類収納部
６３、６４  ロック機構
６５      ロック制御部
７０      ターミナル
７１      ＩＣカードリーダ
７２      操作表示部
７３      全体制御部
７４      記憶部
７５      印刷部
７６      プリンタ装置
７８      通信インターフェース部
８０      硬貨投入部
８２      硬貨識別部
８４      硬貨搬送分類機構
８６      第１の硬貨集積部
８８      第２の硬貨集積部
９０      第３の硬貨集積部
９１、９２  硬貨返却箱
９３、９４  硬貨収納部
９５、９６、９７  ロック機構
９８      硬貨制御部
１００    商業施設
１０１    売場領域
１０２    商品棚
１０４    レジカウンター
１０６    貨幣釣銭機
１１０    入金室
１１１    撮像カメラ
１１２    出納室
１２０    流通統合ターミナル
１２２    制御部
１２４    表示部
１２６    操作部
１２８    記憶部
１３０    プリンタ装置
１４０    上位サーバ
１５０    テナント
【図１】
0006602570.tif 000002
【図２】
0006602570.tif 000003
【図３】
0006602570.tif 000004
【図４】
0006602570.tif 000005
【図５】
0006602570.tif 000006
【図６】
0006602570.tif 000007
【図７】
0006602570.tif 000008
【図８】
0006602570.tif 000009
【図９】
0006602570.tif 000010
【図１０】
0006602570.tif 000011